(57)【要約】      （修正有）【課題】チップが損傷した場合にこみ入った取り外し工程を省略して別のチップとの交換が迅速に行われ得るチップアダプター台座を提供する。【解決手段】絶縁台座本体、複数の端子および押え部品が含まれるチップの位置決めおよび接合用のチップアダプター台座。該絶縁台座本体にはチップを配するための収納空間がある。収納空間の対応する側面には複数の端子受入れ横溝がチップピンに対応して設けられる。各端子受入れ横溝にはその端子が設けられる。各端子はその端部でチップピンに電気的に接続されるとともに、その他端は絶縁台座本体の外周部から突き出る。押え部品はチップを絶縁台座本体の収納空間に押しつけるため絶縁台座本体の収納空間上部に接合される。上記の装置に関しては、チップが損傷した時にこみ入った取り外し工程を経ないでも別のチップにより迅速な交換が可能である。【選択図】図３
0003126298.tif 000002
【実用新案登録請求の範囲】
【請求項１】
チップ収納用の収納空間のある絶縁台座本体、チップピンに対応する収納空間の対応する両側にそれぞれ設けられる複数の端子受入れ横溝、各端子の１端がチップピンに電気的に接続されて、その他端は絶縁台座本体の外周部から突き出る、絶縁台座本体の端子受入れ横溝に対応して設けられる複数の端子、および絶縁台座本体の収納空間のチップを押えるために絶縁台座本体の収納空間上部に接合される押え部品が含まれるチップアダプター台座。
【請求項２】
絶縁台座本体の端子受入れ横溝に隣接する片側が凹んだ谷部で形成され、その凹んだ谷部の両側壁面にそれぞれひとつの接合孔が設けられるとともに、押え部品の片端に接合孔に延びて接合されるための突出軸棒が設けられる請求項１に記載のチップアダプター台座。
【請求項３】
凹んだ谷部に対向する絶縁台座本体の片側に固定引っ掛かり部が設けられるとともに、押え部品の他端に固定引っ掛かり部の固定用の固定横溝が設けられる請求項２に記載のチップアダプター台座。
【請求項４】
端子に接触部分、ハンダ付け部分および接触部分とハンダ付け部分間に形成される接続部分が含まれ、該接触部分がチップの各ピンに電気的に接続されるとともに該ハンダ付け部分が絶縁台座本体の外周部から突き出る請求項１に記載のチップアダプター台座。
【請求項５】
ハンダ付け部分に固定孔が設けられるとともに止めブロックが接続部分とハンダ付け部分間の接合部の外縁から突き出る請求項４に記載のチップアダプター台座。
【請求項６】
端子に接触部分および接触部分の片側から下方に曲がるハンダ付け部分が含まれ、該接触部分がチップの各ピンに電気的に接続されるとともに、該ハンダ付け部分が絶縁台座本体の外周部から突き出る請求項１に記載のチップアダプター台座。
【請求項７】
押え部品がプラスチック材料製である請求項１に記載のチップアダプター台座。
【請求項８】
押え部品が金属材料製である請求項１に記載のチップアダプター台座。
【請求項９】
さらに押え部品の内面に接着される熱伝導性片が含まれる請求項８に記載のチップアダプター台座。
【請求項１０】
熱伝導性片が任意の熱伝導性接着剤あるいは黒鉛片である請求項９に記載のチップアダプター台座。
【請求項１１】
収納空間のある絶縁台座本体、それぞれ収納空間の対応する両側に間隔をおいて設けられた複数の端子受入れ横溝、各端子の１端が絶縁台座本体の収納空間の底面から突き出て、その他端が絶縁台座本体の外周部から突き出る端子受入れ横溝に対応して設けられる複数の端子、絶縁台座本体の収納空間上部に接合された押さえ部品が含まれるチップアダプター台座。
【請求項１２】
絶縁本体の端子受入れ横溝に隣接する片側が凹んだ谷部で形成され、凹んだ谷部の両側壁面に１つの接合孔がそれぞれ設けられるとともに、押え部品の１端に、延びて接合孔に接続されるための突出軸棒が設けられる請求項１１に記載のチップアダプター台座。
【請求項１３】
凹んだ谷部に対向する絶縁台座本体の片側に固定引っ掛かり部が設けられるとともに、押え部品の他端に固定引っ掛かり部を固定するための固定横溝が設けられる請求項１２に記載のチップアダプター台座。
【請求項１４】
端子に接触部分、ハンダ付け部分および接触部分とハンダ付け部分間に形成される接続部分が含まれ、自由な状態の接触部分の上面が絶縁台座本体の収納空間の底面より高く位置するとともに、ハンダ付け部分が絶縁台座本体の外周部から突き出る請求項１１に記載のチップアダプター台座。
【請求項１５】
ハンダ付け部分に固定孔が設けられるとともに、止めブロックが接続部分とハンダ付け部分間の接合部の外縁から突き出る請求項１４に記載のチップアダプター台座。
【請求項１６】
端子に接触部分および接触部分の片側から下方に曲がるハンダ付け部分が含まれ、自由な状態の接触部分の上面が絶縁台座本体の収納空間の底面より高く位置するとともに、ハンダ付け部分が絶縁台座本体の外周部から突き出る請求項１１に記載のチップアダプター台座。
【請求項１７】
押え部品がプラスチック材料製である請求項１１に記載のチップアダプター台座。
【請求項１８】
押え部品が金属製である請求項１１に記載のチップアダプター台座。
【請求項１９】
さらに押え部品の内面に接着される熱伝導性片が含まれる請求項１８に記載のチップアダプター台座。
【請求項２０】
熱伝導性片が任意の熱伝導性接着剤あるいは黒鉛片である請求項１９に記載のチップアダプター台座。
【考案の詳細な説明】
【技術分野】
【０００１】
本考案はチップアダプター台座、特に、チップの位置決めおよび接合用のチップアダプター台座に関する。
【先行技術の説明】
【０００２】
デスクトップあるいはラップトップコンピュータはハードウェアならびにソフトウェアによって構成される。ハードウェアにはマザーボード、ＣＰＵ、メモリ、ハードディスクドライバー、ディスプレイカード、サウンドカード、パワーサプライ等々が含まれる。ハードドライバーはシステムソフトウェアおよびデータを記憶する。メモリはハードウェアシステムの処理速度を加速させてデータを読むためのバッファーであった。マザーボード上には、コネクターおよび様々なサイズと仕様の電気部品からなる様々な種類のチップが設けられると同時にハンダ付けされる。チップは記憶あるいは計算の実行に使用される。長期間の稼働後には損傷の発生が避けられない。さらに、コンピュータのグレードアップつまりチップ部品の交換が必要となる時には、当該チップをマザーボードから取り外すことが必要である。従って、マザーボードからチップを容易に取り外せるアダプター台座の提供は重要な問題である。
【０００３】
図１に示されるように、従来のチップと回路盤の組合せ構造では、複数のピン11aがチップ10aの対応する両端面から外側の方に突き出る。回路盤20a上の対応する位置に複数の接合部品が設けられると同時に各接合部品はチップ10aの各ピン11aに寄りかかって接合されるために使用される。組立に際しては、回路盤20a上の接合部品にはハンダペーストのようなハンダ付け媒介剤が塗布される。チップ10aは回路盤20aが位置していなくてはならない場所に位置決めされる。チップ10aの各ピン11aは回路盤20aの各接合部品に対応する。その後、ハンダ付け操作が行われてチップ10aと回路盤20aが組合せられる。
【０００４】
しかしながら、チップと回路盤の組合せ構造には、実際の実施にまだいくつか問題がある。チップ10aは長期間稼働されるので、チップが過負荷電流あるいは一定しない電流のため燃え尽きたり損傷したりすることが避けられないこともある。修繕処置では、各ハンダ付け場所は１ヶ所づつ溶接されるとともに、その後、ハンダ付け残留物は除去されなくてはならない。この後、別の新たなチップ10aが回路盤20aと接合させられる。この方法では、様々な種類の特別な工具が必要なだけでなく、修繕の時間が増える。さらに、コンピュータがアップグレードされてチップの部品交換が必要な場合には上述のこみ入った手順が行われる必要もある。従って、その実用性と経済的効率性が大きく減少する。
【０００５】
上記の欠点に鑑みて、当考案人は専門上の経験と熟考されたた研究に基づいて上記の問題が克服された本考案を提案するものである。
【考案の開示】
【０００６】
本考案は、チップが損傷した場合にこみ入った取り外し工程を省略して別のチップとの交換が迅速に行われ得るチップアダプター台座を提供することにある。この解決策を利用すると修理手順が単純かつ便利となる。さらに、これは様々な種類のサイズの異なるチップとの接合用に利用可能であり、これよって汎用性が増す。
【０００７】
本考案はチップの位置決めと接合用のチップアダプター台座を提供するもので、絶縁台座本体、複数の端子および押え部品が含まれる。絶縁台座本体にはチップ設置用の収納空間がある。収納空間の対応する側面には、複数の端子受入れ横溝がチップピンに対応して設けられる。各端子受入れ横溝には端子が設けられる。各端子の１端はチップピンに電気的に接続されると同時に、その他端は絶縁台座本体の外周部から突き出る。押え部品は絶縁台座本体の収納空間のチップを押えるために絶縁台座本体の収納空間上部で接合される。
【０００８】
本考案によりチップの位置決めと接合用のチップアダプター台座が提供され、これには絶縁台座本体、複数の端子および押え部品が含まれる。絶縁台座本体には収納空間がある。収納空間に対応する側面には、複数の端子受入れ横溝が等間隔で設けられる。各端末受入れ横溝には端子が設けられる。各端子の１端は絶縁台座本体の収納空間の底面から突き出ると同時に、その他端は絶縁台座本体の収納空間の外周部から突き出る。押え部品は絶縁台座本体の収納空間上部で接合される。
【詳細な説明】
【０００９】
本考案の詳細な説明と技術内容は付随する図面類が参照されて説明される。しかしながら、図面類は例示的なものであって本考案の範囲を限定するために使用されるものではないと理解さらなくてはならない。
【００１０】
図２および図３を参照すると、これらはそれぞれ本考案の部分分解透視図であり、全体組立図である。本考案により絶縁台座本体10、複数の端子20および押え部品30が含まれるチップアダプター台座が提供される。
【００１１】
絶縁台座本体10は長方形に似た形状に形成される。絶縁台座本体の上面の真ん中は下方に凹んでいて収納空間11が形成される。絶縁台座本体10の収納空間11の対応する左および右側上には複数の端子受入れ横溝12が等間隔に設けられる。絶縁台座本体10の後面は凹んだ谷部13で形成される。凹んだ谷部13の左右の側面上には、各接合孔14が設けられる。凹んだ谷部13に対向する絶縁台座本体10の側面の中間には固定引っ掛かり部15が設けられる。
【００１２】
各端子は導電体であると同時に絶縁台座本体10の端部受入れ横溝12に設けられる。端子20には接触部分21、ハンダ付け部分22および接触部分21とハンダ付け部分22間に形成される接続部分23が含まれる。ハンダ付け部分22は絶縁台座本体10の外周部から突き出る。固定孔221がハンダ付け部分22上に設けられる。接続部分23は逆「Ｕ」字型に形成される。止めブロック24が接続部分23ならびにハンダ付け部分22の接続部分の外縁から突き出る。止めブロック24およびハンダ付け部分22の固定孔221の設置により各端子20ならびに絶縁台座本体間の接合の確実さが高まり得る。
【００１３】
押え部品30はプラスチック材料で作られると同時に、板状形状に形成される。押え部品の１端の両側には絶縁台座本体10の接合孔14の中に回転していく突出軸棒31が設けられる。押え部品30の中間部分は絶縁台座本体10の収納空間11を横切る。押え部品の他端には下方に延びて絶縁台座本体10の固定引っ掛かり部15に固定されるための固定横溝32が設けられる。
【００１４】
図４は本考案品が回路盤に接合される状態を示す全体組立図である。図５は図４の全体横断面図である。図６は別の方向に切られた図４の全体横断面図である。本考案のチップアダプター台座は回路盤６の予め決められた位置に設置可能である。回路盤6のハンダ付けが予定される場所には予めハンダ付けペーストのようなハンダ付け媒介剤が予め塗布される。その後、チップアダプター台座は回路盤6の接合部品に寄りかかる各端子20のハンダ付け部分22について回路盤6上に位置決めされると同時にそこにハンダ付けされる。引き続いて、チップ5が絶縁台座本体10の収納空間11に配置される。複数のピン51はチップ5の対応する両側面から外側に延びる。各ピン51はそれぞれの対応する端子20の接触部分21に寄りかかる。その後、押え部品30は中心として突出軸棒31が利用されて回転され、チップ5上を覆う。押え部品30の固定横溝32は絶縁台座本体10の固定引っ掛かり部15とかみあう。同時に、押え部品30の中間部分により、チップ5の各ピン51が各端子20の接触部分21と密に接触するようにチップ5の丁度上が押えられる。
【００１５】
図７を参照すると、これは本考案の別の実施例が回路盤に接合される状態が示された全体横断面図である。本考案では、自由な状態における各端子20の接触部分21の上面は絶縁台座本体10の収納空間11の底面より高く位置するので、チップアダプター台座は上記チップ5の接合用に使用可能であるばかりでなく、チップ5より少し薄めの厚さの別のチップ5'にも使用可能である。押え部品30が絶縁台座本体10に固定される場合、その内面はチップ5'の上面に寄りかかる。絶縁台座本体10の収納空間11の底面がチップ5'の底面と接触しなくても、チップ5'のピン51と各端子20の接触部分22間の電気接続は、尚、行われ得る。従って、本考案のチップアダプター台座は厚さの異なるチップ5、5'の接合用に使用可能であり、これによって汎用性が増す。
【００１６】
図８を参照すると、これは本考案の別の実施例が示される全体組立図である。押え部品30は金属材料製であり得る。その内側面は熱伝導性部品40に接着される。熱伝導性部品40は熱伝導性接着剤、黒鉛片あるいは良好な熱伝導率を有する任意のその他の材料であり得る。上記の装置についてはチップの作動によって生ずる熱が伝導可能なばかりでなく、押え部品30とチップ5間のぴったりした接し具合も増し得る。
【００１７】
図９を参照すると、これは本考案のさらに別の実施例が回路盤に接合される状態が示される横断組立図である。端子20には接触部分21および接触部分21の片側から下方に曲がるハンダ付け部分22が含まれる。接触部分21はチップ5'のピン51に電気的に接続される。ハンダ付け部分22は回路盤6にハンダ付けされて固定される。このように、チップアダプター台座の全高さを大幅に低くできる。
【００１８】
上記によると、本考案のチップアダプター台座は、実に、産業上の応用性、新規性および発明性のある手段である。さらに、本考案の構造は、特許申請以前には発表あるいは公開使用の状態ではなかったので、本考案は実用新案向けの要件に合っている。
【００１９】
本考案は前述の好ましい実施例を参照して説明されてきたにもかかわらず、本考案はその詳細に限定されないものと理解されよう。本考案の教示しているものに照らし、本技術に精通した者にとっては、様々な等価な変型例、変更例が、尚、起こり得る。このように、このようなすべての変型類および等価変更例もまた付録の請求項に定められる本考案の範囲内に包含される。
【図面の簡単な説明】
【００２０】
新規性があると思われる本考案の特徴は付録の特許請求項に詳細に規定される。しかしながら、本考案自体は本考案に関する以下の詳細説明を参照して最も良く理解が可能であり、その説明では付随する図面類と関連が取られた本考案のある代表的な実施例が説明される。すなわち、
【図１】従来のチップと回路盤を示す全体組立図である。
【図２】本考案の部分分解透視図である。
【図３】本考案の全体組立図である。
【図４】本考案品が回路盤に接合された状態が示される全体組立図である。
【図５】図４の全体横断面図
【図６】図４の別方向に切られた全体横断面図である。
【図７】本考案の別の実施例が回路盤に接合された状態が示された全体横断面図である。
【図８】本考案の別の実施例が示された全体組立図である。
【図９】本考案のさらなる実施例が回路盤に接合された状態が示された全体横断面である。
【図１】
0003126298.tif 000003
【図２】
0003126298.tif 000004
【図３】
0003126298.tif 000005
【図４】
0003126298.tif 000006
【図５】
0003126298.tif 000007
【図６】
0003126298.tif 000008
【図７】
0003126298.tif 000009
【図８】
0003126298.tif 000010
【図９】
0003126298.tif 000011